(57)【要約】【課題】後側板を固定するねじが外れても安定して低ＮＯｘバーナを支持することが可能なガスバーナユニット及びガス給湯機を提供する。【解決手段】バーナケース３５の左側板８３に、その後端部が右方向に折り曲げられた第１の折り曲げ部１３５を設け、右側板８４に、その後端部が左方向に折り曲げられた第２の折り曲げ部１３６を設け、第１、第２の折り曲げ部１３５、１３６がそれぞれ後側板８２の後側の面に接触した状態で、後側板８２が左側板８３及び右側板８４に固定される。【選択図】図４
2011214769.tif 000002
【特許請求の範囲】
【請求項１】
前部下側に第１、第２のガスと空気の導入口を、上部には前記第１、第２のガスと空気の導入口からのガスを放出する扁平の炎口をそれぞれ形成すると共に、底部、後部、及び前部上側を閉塞する第１、第２、第３の閉塞部を形成するバーナ形成部材を有し、前記炎口は複数の仕切板によって前後左右方向に仕切られた低ＮＯｘバーナと、前記低ＮＯｘバーナが僅少の隙間を有して左右方向に並べて配置され、前側に、前記第１、第２のガスと空気の導入口にそれぞれ符合する第１、第２の開口が形成された前側板を有し、下部後側には前記低ＮＯｘバーナの支持部材を、更に該支持部材の後側、左側及び右側にはそれぞれ後側板、左側板及び右側板を有する有底のバーナケースとを備えたガスバーナユニットにおいて、
前記左側板は、その後端部が右方向に折り曲げられた第１の折り曲げ部を備え、
前記右側板は、その後端部が左方向に折り曲げられた第２の折り曲げ部を備え、
前記各低ＮＯｘバーナの前記バーナケースへの支持は、
１）前記第１、第２の開口が後側にバーリング加工されて前記第１、第２のガスと空気の導入口に嵌入し、
２）第１の切欠きが前記支持部材に形成されて、該第１の切欠きに前記第１の閉塞部の後側が嵌入し、
３）第２の切欠きが、前記後側板に設けられ前向きに突出する前向き突出部に形成されて、該第２の切欠きに前記第２の閉塞部の上側が嵌入し、
４）第３の切欠きが、前記前側板に設けられ後ろ向きに突出する後向き突出部に形成されて、該第３の切欠きに前記第３の閉塞部が嵌入することによって行われ、
前記後側板は、前記第１、第２の折り曲げ部がそれぞれ前記後側板の後側の面に接触した状態で前記左側板及び前記右側板に固定されることを特徴とするガスバーナユニット。
【請求項２】
請求項１記載のガスバーナユニットにおいて、
前記第１の切欠きは、前記低ＮＯｘバーナの配置間隔に対応する間隔で前記支持部材に複数形成され、
前記第１の切欠きの間に形成された支持片は、基端から上方へ延びる支持部と、該支持部先端から後上方へと延びる案内部とを備えることを特徴とするガスバーナユニット。
【請求項３】
前部下側に第１、第２のガスと空気の導入口を、上部には前記第１、第２のガスと空気の導入口からのガスを放出する扁平の炎口がそれぞれ形成された低ＮＯｘバーナと、前記低ＮＯｘバーナが隙間を有して左右方向に並べて配置され、前側に、前記第１、第２のガスと空気の導入口にそれぞれ符合する第１、第２の開口が形成された前側板を有し、下部後側には前記低ＮＯｘバーナの支持部材を、更に該支持部材の後側、左側及び右側にはそれぞれ後側板、左側板及び右側板を有する有底のバーナケースとを有するバーナユニットと、前記バーナユニットの上に設けられ、前記低ＮＯｘバーナから発生した燃焼ガスを取り込んで水を加熱する一次熱交換器と、前記一次熱交換器から排出される燃焼ガスによって、前記一次熱交換器に供給する水を予熱する二次熱交換器とを備えたガス給湯機において、
前記左側板は、その後端部が右方向に折り曲げられた第１の折り曲げ部を備え、
前記右側板は、その後端部が左方向に折り曲げられた第２の折り曲げ部を備え、
前記各低ＮＯｘバーナの前記バーナケースへの支持は、
１）前記第１、第２の開口が後側にバーリング加工されて前記第１、第２のガスと空気の導入口に嵌入し、
２）第１の切欠きが前記支持部材に形成され、該第１の切欠きに前記低ＮＯｘバーナの底部の後側が嵌入し、
３）第２の切欠きが、前記後側板に設けられ前向きに突出する前向き突出部に形成され、該第２の切欠きに前記低ＮＯｘバーナの後部の上側が嵌入し、
４）第３の切欠きが、前記前側板に設けられ後向きに突出する後向き突出部に形成され、該第３の切欠きに前記低ＮＯｘバーナの前部上側が嵌入することによって行われ、
前記後側板は、前記第１、第２の折り曲げ部がそれぞれ前記後側板の後側の面に接触した状態で前記左側板及び前記右側板に固定されることを特徴とするガス給湯機。
【発明の詳細な説明】
【技術分野】
【０００１】
本発明は、内部に低ＮＯｘバーナが並べて配置されたガスバーナユニット及びガス給湯機に関する。
【背景技術】
【０００２】
特許文献１記載の燃焼装置（ガスバーナユニット）においては、その内部で複数のガスバーナが左右方向に並べて配置されている。各ガスバーナは、その前部及び後部を左右方向両側からそれぞれ挟むようにして係合する爪部によって支持されている。そして、ガスバーナユニットの後部の後板（後側板）は、側板の後端部が外側に折り曲げられた部分にねじ締結されている。
【先行技術文献】
【特許文献】
【０００３】
【特許文献１】特開２００６−２６６５１６号公報
【発明の概要】
【発明が解決しようとする課題】
【０００４】
この後板には、各ガスバーナの後部上側を支持する爪部が設けられている。そのため、万一ねじが脱落して後板が外れると、ガスバーナの支持が不安定になる恐れがあった。
本発明は、かかる事情に鑑みてなされたもので、後側板を固定するねじが外れても安定して低ＮＯｘバーナを支持することが可能なガスバーナユニット及びガス給湯機を提供することを目的とする。
【課題を解決するための手段】
【０００５】
前記目的に沿う第１の発明に係るガスバーナユニットは、前部下側に第１、第２のガスと空気の導入口を、上部には前記第１、第２のガスと空気の導入口からのガスを放出する扁平の炎口をそれぞれ形成すると共に、底部、後部、及び前部上側を閉塞する第１、第２、第３の閉塞部を形成するバーナ形成部材を有し、前記炎口は複数の仕切板によって前後左右方向に仕切られた低ＮＯｘバーナと、前記低ＮＯｘバーナが僅少の隙間を有して左右方向に並べて配置され、前側に、前記第１、第２のガスと空気の導入口にそれぞれ符合する第１、第２の開口が形成された前側板を有し、下部後側には前記低ＮＯｘバーナの支持部材を、更に該支持部材の後側、左側及び右側にはそれぞれ後側板、左側板及び右側板を有する有底のバーナケースとを備えたガスバーナユニットにおいて、
前記左側板は、その後端部が右方向に折り曲げられた第１の折り曲げ部を備え、
前記右側板は、その後端部が左方向に折り曲げられた第２の折り曲げ部を備え、
前記各低ＮＯｘバーナの前記バーナケースへの支持は、
１）前記第１、第２の開口が後側にバーリング加工されて前記第１、第２のガスと空気の導入口に嵌入し、
２）第１の切欠きが前記支持部材に形成されて、該第１の切欠きに前記第１の閉塞部の後側が嵌入し、
３）第２の切欠きが、前記後側板に設けられ前向きに突出する前向き突出部に形成されて、該第２の切欠きに前記第２の閉塞部の上側が嵌入し、
４）第３の切欠きが、前記前側板に設けられ後ろ向きに突出する後向き突出部に形成されて、該第３の切欠きに前記第３の閉塞部が嵌入することによって行われ、
前記後側板は、前記第１、第２の折り曲げ部がそれぞれ前記後側板の後側の面に接触した状態で前記左側板及び前記右側板に固定される。
【０００６】
第１の発明に係るガスバーナユニットにおいて、前記第１の切欠きは、前記低ＮＯｘバーナの配置間隔に対応する間隔で前記支持部材に複数形成され、
前記第１の切欠きの間に形成された支持片は、基端から上方へ延びる支持部と、該支持部先端から後上方へと延びる案内部とを備えることが好ましい。
【０００７】
前記目的に沿う第２の発明に係るガス給湯機は、前部下側に第１、第２のガスと空気の導入口を、上部には前記第１、第２のガスと空気の導入口からのガスを放出する扁平の炎口がそれぞれ形成された低ＮＯｘバーナと、前記低ＮＯｘバーナが隙間を有して左右方向に並べて配置され、前側に、前記第１、第２のガスと空気の導入口にそれぞれ符合する第１、第２の開口が形成された前側板を有し、下部後側には前記低ＮＯｘバーナの支持部材を、更に該支持部材の後側、左側及び右側にはそれぞれ後側板、左側板及び右側板を有する有底のバーナケースとを有するバーナユニットと、前記バーナユニットの上に設けられ、前記低ＮＯｘバーナから発生した燃焼ガスを取り込んで水を加熱する一次熱交換器と、前記一次熱交換器から排出される燃焼ガスによって、前記一次熱交換器に供給する水を予熱する二次熱交換器とを備えたガス給湯機において、
前記左側板は、その後端部が右方向に折り曲げられた第１の折り曲げ部を備え、
前記右側板は、その後端部が左方向に折り曲げられた第２の折り曲げ部を備え、
前記各低ＮＯｘバーナの前記バーナケースへの支持は、
１）前記第１、第２の開口が後側にバーリング加工されて前記第１、第２のガスと空気の導入口に嵌入し、
２）第１の切欠きが前記支持部材に形成され、該第１の切欠きに前記低ＮＯｘバーナの底部の後側が嵌入し、
３）第２の切欠きが、前記後側板に設けられ前向きに突出する前向き突出部に形成され、該第２の切欠きに前記低ＮＯｘバーナの後部の上側が嵌入し、
４）第３の切欠きが、前記前側板に設けられ後向きに突出する後向き突出部に形成され、該第３の切欠きに前記低ＮＯｘバーナの前部上側が嵌入することによって行われ、
前記後側板は、前記第１、第２の折り曲げ部がそれぞれ前記後側板の後側の面に接触した状態で前記左側板及び前記右側板に固定される。
【発明の効果】
【０００８】
請求項１、２に記載のガスバーナユニットにおいては、第１、第２の折り曲げ部が後側板の後側の面に接触した状態で互いに固定されるので、後側板を固定するねじが外れても安定して低ＮＯｘバーナを支持することが可能である。
【０００９】
特に、請求項２記載のガスバーナユニットにおいては、第１の切欠きの間に形成された支持片は、基端から上方へ延びる支持部と、該支持部先端から後上方へと延びる案内部とを備えるので、２次空気が後方に導かれると共に低ＮＯｘバーナの挿入が容易となる。
【００１０】
請求項３記載のガス給湯機においては、第１、第２の折り曲げ部が後側板の後側の面に接触した状態で互いに固定されるので、後側板を固定するねじが外れても安定して低ＮＯｘバーナを支持することが可能である。
【図面の簡単な説明】
【００１１】
【図１】本発明の一実施の形態に係るガス給湯機の内部構造図である。
【図２】（Ａ）、（Ｂ）はそれぞれ本発明の一実施の形態に係るガスバーナユニットの斜視図及び平面図である。
【図３】低ＮＯｘバーナの斜視図である。
【図４】（Ａ）、（Ｂ）、（Ｃ）は、それぞれバーナケースの斜視図、同図（Ａ）の部分拡大図及び同図（Ａ）と異なる角度から見たバーナケースの斜視図である。
【図５】バーナケースの内部構造図である。
【図６】後側板の正面図、平面図及び側面図である。
【発明を実施するための形態】
【００１２】
続いて、添付した図面を参照しつつ、本発明を具体化した実施の形態につき説明し、本発明の理解に供する。
本発明の一実施の形態に係るガス給湯機２５は、図１に示すように、ガスバーナユニット１６、一次熱交換器１９、二次熱交換器２４を備えている。
ガスバーナユニット１６は、ガス管１８から供給される燃料ガスと空気を混合してなる混合気を、内部に並べて配置された低ＮＯｘバーナ１０（図２、図３、図４、及び図５参照）の上方へ噴出させて火炎となり、燃焼ガスを発生させる。
そして、ガスバーナユニット１６は、ガスバーナユニット１６の上部に配置された一次熱交換器１９にその燃焼ガスを供給する。
【００１３】
一次熱交換器１９は、下部から送出された燃焼ガスの顕熱によって水を加熱して湯をつくり、その湯を混合弁２０に送ると共に、上部から燃焼ガスを排出する。混合弁２０は、一次熱交換器１９でつくられた湯に、水道管２１を介して流入する水を混合して予め決められた温度の湯をつくり、その湯を出湯管２２に供給する。
また、ガスバーナユニット１６の底部には、ガスバーナユニット１６内に空気を供給するファン２３が固定されている。
【００１４】
一次熱交換器１９の上には、一次熱交換器１９から排出された燃焼ガスによって、一次熱交換器１９に供給する水を予熱する二次熱交換器２４が配置されている。従って、ガスバーナユニット１６、一次熱交換器１９及び二次熱交換器２４等を有するガス給湯機２５は、一次熱交換器１９で燃焼ガスの顕熱、二次熱交換器２４で燃焼ガスの潜熱をそれぞれ水の加熱の熱源として効率的に利用することできる。なお、二次熱交換器２４によって予熱される水は、水道管２１から供給される。
また、一次熱交換器１９には、ガス給湯機２５に設けられた循環ポンプ２６の作動によって、水が循環する循環回路２７が接続されており、一次熱交換器１９は、給湯に使う湯を加熱すると共に循環回路２７を流れる水を加熱して浴槽等に供給する。なお、ガスバーナユニット１６をはじめとするガス給湯機２５を構成する機能部品、部材等は箱状のケーシング２８内に配置固定されている。
【００１５】
次に、ガスバーナユニット１６の構造について詳細に説明する。なお、以下の説明において、図２（Ａ）に示す第１の開口３０を正面視した状態を基準にして、手前側を前、奥側を後、左側を左、右側を右とする。
図２（Ａ）、（Ｂ）に示すように、ガスバーナユニット１６は、バーナケース３５が外側ケース３６で覆われた構造をしている。外側ケース３６は前面及び上面が開口している。外側ケース３６の前面の開口部分には、バーナケース３５の前側板８１が取り付けられる。なお、図においては、ガスバーナユニット１６の前面（前側板８１）に、外側から点火及び火炎検知用の電極部４７が取り付けられている。
外側ケース３６の後及び左右の側板３８、３９、４０は、それぞれバーナケース３５の燃焼室（低ＮＯｘバーナ１０の上方に形成される空間）を囲う遮熱板４２、４３、４４と予め決められた空隙を介して連結片４５で連結されている。なお、これら遮熱板４２、４３、４４の材質は、ステンレスの耐熱、耐酸化鋼種である。
バーナケース３５の内部には、低ＮＯｘバーナ１０が僅少の隙間を有して左右方向に並べて配置されている。なお、説明の便宜上、各図においては一部の低ＮＯｘバーナ１０のみを図示している。また、各図を通して、低ＮＯｘバーナ１０の位置又は個数が互いに一致しない場合がある。更に、不図示の低ＮＯｘバーナ１０に関して取り付け構造を省略している場合がある。
【００１６】
ここで、低ＮＯｘバーナ１０について説明する。
低ＮＯｘバーナ１０は、図３に示すように、全体として扁平形状である。また、低ＮＯｘバーナ１０の底部、後部及び前部上側は、それら以外の膨出した部分に比べて薄く形成されている。そのため、隣り合う低ＮＯｘバーナ１０の前部上側の間及び後部の間には、上下方向に延びる端部空間５５、５６がそれぞれ形成される（図２（Ｂ）参照）。
低ＮＯｘバーナ１０の前部下側には第１のガスと空気の導入口６０ａ、第２のガスと空気の導入口６０ｂが設けられている。また、低ＮＯｘバーナ１０の上部には、炎口６１が設けられている。炎口６１からは、第１のガスと空気の導入口６０ａ、第２のガスと空気の導入口６０ｂから導入されたガス（混合気）が低ＮＯｘバーナ１０の内部に形成されたガス流路を通って噴出する。詳細には、炎口６１は複数の仕切板６２によって前後左右方向にブロック状に仕切られている。
低ＮＯｘバーナ１０は、それぞれ折り曲げ部６５、６６を中心にして半分に折り曲げられた上側バーナ形成部材６７ａ及び下側バーナ形成部材６７ｂを組み合わせて溶接することによってその外形が形成される。
低ＮＯｘバーナ１０の底部、後部、及び前部上側には、バーナ形成部材６７ａ、６７ｂの端部が折り返されて閉塞された第１の閉塞部５１、第２の閉塞部５３、第３の閉塞部５４がそれぞれ形成されている。
第１の閉塞部５１の後側には固定用の切欠き７０が形成されている。
【００１７】
次に、バーナケース３５について詳細に説明する。
図４（Ａ）は、ガスバーナユニット１６から外側ケース３６を取り外した状態を示している。図４（Ｂ）、（Ｃ）は、同図（Ａ）に示した状態から更に左側の遮熱板４３及び右側の遮熱板４４を取り外した状態を示している。図５は、図４（Ｂ）、（Ｃ）に示した状態から、更に前側の遮熱板４１及び後側の遮熱板４２を取り外した状態を示している。
【００１８】
図４（Ａ）、（Ｂ）、（Ｃ）及び図５に示すように、バーナケース３５は底部に底板８０を備え、底板８０を底面として前後左右の辺からそれぞれ上方へと延びる前側板８１、後側板８２、左側板（横側板）８３及び右側板（横側板）８４で囲まれた箱状のケースであり、上面が開口している。
底板８０と前側板８１、左側板８３及び右側板８４は、一枚の金属板を折り曲げて一体に形成されている。
【００１９】
図５に示すように、底板８０には、複数の空気孔８５が設けられ、底板８０の下方から二次空気をバーナケース３５内へと導入する。
底板８０の後端部（バーナケース３５の下部後側）には、低ＮＯｘバーナ１０の第１の閉塞部５１の後側を支持するための支持部材９０が設けられている。この支持部材９０には、低ＮＯｘバーナ１０の配列間隔に対応する間隔で第１の切欠き９１が複数形成されている。各第１の切欠き９１の間に形成された支持片９２には、基端から上方へ延びる支持部９３が形成され、支持部９３の先端から後上方へと延びる案内部９４が形成されている。第１の切欠き９１のうち、案内部９４の間に形成される切欠きは、支持部９３の間に形成される切欠きよりも幅が広くなっている。そのため、この第１の切欠き９１に第１の閉塞部５１の後側を挿入する際には、第１の閉塞部５１の後側が案内部９４によって案内されて第１の切欠き９１に嵌り合う。詳細には、切欠き７０と第１の切欠き９１が嵌り合う。
なお、案内部９４は、前述の通り後上方へと延び、空気孔８５から供給される空気を後方の後側板８２側へ沿うように案内して円滑に導く役割をも有している。
【００２０】
前側板８１の下部には、左右方向に第１の開口３０及び第２の開口９８が、低ＮＯｘバーナ１０の配列間隔と対応する間隔で複数形成されている。各開口は、バーリング加工によって形成され、バーリング加工による開口周縁の立ち上がりは後方を向いている。これら立ち上がり部に低ＮＯｘバーナ１０の第１のガスと空気の導入口６０ａ及び第２のガスと空気の導入口６０ｂがそれぞれ嵌り合う。
前側板８１の中部には、段部９９が形成されている。段部９９には、バーナケース３５の外側から二次空気を導入する空気孔１００が段部９９の長手方向に沿って複数設けられている。
前側板８１の上部内側には、遮熱板４１が設けられている。この遮熱板４１については後述する。
【００２１】
後側板８２は、図６に示すように、中間部に形成された前向き突出部１０１と、上部に形成された遮熱部１０２とを備え、一枚の金属板から一体的に形成されている。後側板８２は、支持部材９０の後側に位置している。
前向き突出部１０１は、前向きに突出し、後側板８２の左右方向に沿って形成されている。前向き突出部１０１は、一方の面を上に向けて左右方向に延びる水平板１０５と、水平板１０５の前側縁部から前下方に傾斜する上部傾斜板１０６と、上部傾斜板１０６の前側縁部から後下方に傾斜する下部傾斜板１０７とを備えている。水平板１０５には、低ＮＯｘバーナ１０の配列間隔に対応する間隔で燃焼室へ空気を導入するための空気孔１０８が複数設けられている。この空気孔１０８は、隣り合う低ＮＯｘバーナ１０の左右方向の中間に対応する位置に配置されている。空気孔１０８から供給される空気は、遮熱部１０２を冷却するために用いられる他、二次空気としても用いられる。なお、空気孔１０８から供給される空気は、主として空気孔１０８の下方に位置する案内部９４によって導かれる。
上部傾斜板１０６には、低ＮＯｘバーナ１０の配列間隔に対応する間隔で第２の切欠き１１０が複数形成されている。この第２の切欠き１１０に第２の閉塞部５３の上側が嵌入する。また、各第２の切欠き１１０の間には、第１の抑制部１１１が形成されている。この第１の抑制部１１１は、端部空間５６（図２（Ｂ）参照）に後側から挿入され、下から上方へ向かう二次空気の流れを抑制する。
遮熱部１０２は、水平板１０５の後縁部から上方へと延びて形成される。遮熱部１０２には、後方（バーナケース３５の外側）に突出した、略円錐形状の突起１１５が複数形成されている。これら突起１１５が遮熱部１０２の外側を覆う外側ケース３６と点接触することによって空隙が確保され、内側の燃焼室から外側へ伝わる熱が遮断される。遮熱部１０２の上縁には連結片４５が設けられ、後側板８２は外側ケース３６の後側の側板３８と連結される。
【００２２】
前側板８１の上部内側に設けられた遮熱板４１は、その下部に一体に形成された後向き突出部１２０を備えている（図２（Ｂ）及び図４（Ｂ）参照）。
前側の遮熱板４１には、前方（バーナケース３５の外側）に突出した、略円錐形状の突起１２１が複数形成されている。これら突起１２１が遮熱板４１の外側を覆うバーナケース３５と点接触することによって空隙が確保され、内側の燃焼室から外側へ伝わる熱が遮断される。前側の遮熱板４１の上縁には連結片４５が設けられ、前側の遮熱板４１は前側板８１と連結される。なお、遮熱板４１の材質は、他の遮熱板４２、４３、４４と同様、ステンレスの耐熱、耐酸化鋼種である。
【００２３】
後向き突出部１２０は、前向き突出部１０１と実質的に同じ形状である。後向き突出部１２０は、後向きに突出し、前側板８１の左右方向に沿って形成されている。後向き突出部１２０は、一方の面を上に向けて左右方向に延びる水平板１２５と、水平板１２５の後側縁部から後下方に傾斜する上部傾斜板１２６と、上部傾斜板１２６の後側縁部から前下方に傾斜する下部傾斜板（不図示）とを備えている。水平板１２５には、低ＮＯｘバーナ１０の配列間隔に対応する間隔で燃焼室へ空気を導入するための空気孔１２８が複数設けられている。この空気孔１２８は、隣り合う低ＮＯｘバーナ１０の左右方向の中間に対応する位置に配置されている。空気孔１２８から供給される空気は、遮熱板４１を冷却するために用いられる他、二次空気としても用いられる。なお、空気孔１２８から供給される空気は、主として空気孔１２８の下方に位置する空気孔１００（図５参照）から導かれる。
上部傾斜板１２６には、低ＮＯｘバーナ１０の配列間隔に対応する間隔で第３の切欠き１３０（図２（Ｂ）参照）が複数形成されている。この第３の切欠き１３０に第３の閉塞部５４が嵌入する。また、各第３の切欠き１３０の間には、第２の抑制部１３１が形成されている。この第２の抑制部１３１は、端部空間５５（図２（Ｂ）参照）に上側から挿入され、下から上方へ向かう二次空気の流れを抑制する。
【００２４】
左側板８３には、図５に示すように、その後端部が右方向に折り曲げられた第１の折り曲げ部１３５が形成されている。また、右側板８４には、その後端部が左方向に折り曲げられた第２の折り曲げ部１３６が形成されている。これら第１、第２の折り曲げ部１３５、１３６には、後側板８２を締結するねじ１４０、１４１（図４参照）を後側から通すための孔１３７、１３８がそれぞれ設けられている。
左側板８３及び右側板８４の上側には、それぞれ別体の遮熱板４３、４４が配置される。これら遮熱板４３、４４の上縁には連結片４５が設けられ、この連結片４５を介して遮熱板４３、４４はそれぞれ外側ケース３６の側板３９、４０の上に取り付けられる一次熱交換器１９にねじ締結される。
【００２５】
このように、各低ＮＯｘバーナ１０のバーナケース３５への支持は、１）第１、第２の開口３０、９８が後側にバーリング加工されて第１、第２のガスと空気の導入口６０ａ、６０ｂに嵌入し、２）第１の切欠き９１が支持部材９０に形成されて、第１の閉塞部５１の後側の切欠き７０が嵌入し、３）第２の切欠き１１０が後側板８２に設けられた前向き突出部１０１に形成されて、第２の閉塞部５３の上側が嵌入し、４）第３の切欠き１３０が前側板８１に設けられた後向き突出部１２０に形成されて、第３の閉塞部５４が嵌入することによって行われる。即ち、各低ＮＯｘバーナ１０は４点支持されるので、安定して支持される。
【００２６】
続いて、ガスバーナユニット１６の組み立て方法（製造方法）について説明する。
ガスバーナユニット１６の組み立ては、以下の手順で行われる。
１）バーナケース３５用に、図示しない１枚の金属材料をプレス加工して打抜き、予め決められた形状に成形する。また、バーリング加工により、第１の開口３０及び第２の開口９８を成形する。
２）折り曲げ加工により、前側板８１、左側板８３及び右側板８４を成形する。また、支持部材９０を成形する。
３）各低ＮＯｘバーナ１０を後上方から挿入する。この際、第１、第２のガスと空気の導入口６０ａ、６０ｂを第１、第２の開口３０、９８にそれぞれ嵌入させ、低ＮＯｘバーナ１０の切欠き７０（第１の閉塞部５１の後側）を第１の切欠き９１に嵌入させ、第３の閉塞部５４を第３の切欠き１３０に嵌入させる。
４）後側板８２を取り付け、第２の閉塞部５３の上側に第２の切欠き１１０を嵌入させる。この状態では、第１、第２の折り曲げ部１３５、１３６は、それぞれ後側板８２の前側の面に接触している。
５）後側板８２の前側の面に接する第１の折り曲げ部１３５を、左側板８３を撓ませながら一度左外側に引き出す。後側板８２の後側の面に接触させるようにして、引き出した第１の折り曲げ部１３５を戻す。即ち、第１の折り曲げ部１３５の後側板８２との接触面を後側の面から前側の面に入れ替える（図４（Ｃ）参照）。
また、後側板８２の前側の面に接する第２の折り曲げ部１３６を右側板８４を撓ませながら一度右外側に引き出す。後側板８２の後側の面に接触させるようにして、引き出した第２の折り曲げ部１３６を戻す。即ち、第２の折り曲げ部１３６の後側板８２との接触面を後側の面から前側の面に入れ替える。
後側板８２は、第１、第２の折り曲げ部１３５、１３６によって前方に向かって押さえつけられ、第１、第２の折り曲げ部１３５、１３６と後側板８２とをねじ締結しなくとも低ＮＯｘバーナ１０は安定して支持された状態となる。
６）後側板８２と第１、第２の折り曲げ部１３５、１３６とをそれぞれねじ１４０、１４１で締結し、底板８０とも締結し、バーナケース３５が完成する。
７）前側板８１に遮熱板４１をねじ締結により取り付ける。
８）バーナケース３５に外側ケース３６を取り付ける。
９）外側ケース３６の左右の内側に上方から遮熱板４３、４４を挿入する。これにより、ガスバーナユニット１６が完成する。
【００２７】
なお、本発明は、前述の実施の形態に限定されるものではなく、本発明の要旨を変更しない範囲での変更は可能である。
前述の実施の形態においては、底板８０と前側板８１、左側板８３及び右側板８４は、一枚の金属板を折り曲げて一体に形成されているが、その一部又は全部を別体とすることもできる。
【符号の説明】
【００２８】
１０：低ＮＯｘバーナ、１６：ガスバーナユニット、１８：ガス管、１９：一次熱交換器、２０：混合弁、２１：水道管、２２：出湯管、２３：ファン、２４：二次熱交換器、２５：ガス給湯機、２６：循環ポンプ、２７：循環回路、２８：ケーシング、３０：第１の開口、３５：バーナケース、３６：外側ケース、３８、３９、４０：側板、４１、４２、４３、４４：遮熱板、４５：連結片、４７：電極部、５１：第１の閉塞部、５３：第２の閉塞部、５４：第３の閉塞部、５５、５６：端部空間、６０ａ：第１のガスと空気の導入口、６０ｂ：第２のガスと空気の導入口、６１：炎口、６２：仕切板、６５、６６：折り曲げ部、６７ａ：上側バーナ形成部材、６７ｂ：下側バーナ形成部材、７０：切欠き、８０：底板、８１：前側板、８２：後側板、８３：左側板、８４：右側板、８５：空気孔、９０：支持部材、９１：第１の切欠き、９２：支持片、９３：支持部、９４：案内部、９８：第２の開口、９９：段部、１００：空気孔、１０１：前向き突出部、１０２：遮熱部、１０５：水平板、１０６：上部傾斜板、１０７：下部傾斜板、１０８：空気孔、１１０：第２の切欠き、１１１：第１の抑制部、１１５：突起、１２０：後向き突出部、１２１：突起、１２５：水平板、１２６：上部傾斜板、１２８：空気孔、１３０：第３の切欠き、１３１：第２の抑制部、１３５：第１の折り曲げ部、１３６：第２の折り曲げ部、１３７、１３８：孔、１４０、１４１：ねじ
【図１】
2011214769.tif 000003
【図２】
2011214769.tif 000004
【図３】
2011214769.tif 000005
【図４】
2011214769.tif 000006
【図５】
2011214769.tif 000007
【図６】
2011214769.tif 000008